(57)【要約】【課題】  被取付物のボルト挿通孔に差し込まれるボルトを被取付物の内面に設けられるナットに安定確実に位置合わせして螺合可能にすること。【解決手段】  鋼管１０の内面に添設される裏ナット金物２０において、鋼管１０の内面に添設可能にされ、鋼管１０に設けてあるボルト挿通孔１１に合致する孔部３１Ａを備える取付板３０と、取付板３０に設けられ、取付板３０の孔部３１Ａに合致する孔部４１Ａと、ナット保持部４２とを備えるナット保持板４０と、ナット保持板４０の孔部４１Ａに対して位置合わせ可能に横ずれでき、かつ回り止めされるように該ナット保持板４０のナット保持部４２に被包されて保持されるナット５０とを有してなるもの。【選択図】  図４
2010276180.tif 000002
【特許請求の範囲】
【請求項１】
被取付物の内面に添設可能にされる裏ナット金物において、
被取付物の内面に添設可能にされ、被取付物に設けてあるボルト挿通孔に合致する孔部を備える取付板と、
取付板に設けられ、取付板の孔部に合致する孔部と、ナット保持部とを備えるナット保持板と、
ナット保持板の孔部に対して位置合わせ可能に横ずれでき、かつ回り止めされるように該ナット保持板のナット保持部に被包されて保持されるナットとを有してなることを特徴とする裏ナット金物。
【請求項２】
前記ナット保持板が、
前記ナットの底面を着座させて前記孔部を備えるとともに、前記取付板に溶接される板本体部と、
板本体部から折り起こされて前記ナットを横ずれ、かつ回り止め可能に被包して保持する爪状ナット保持部とからなる請求項１に記載の裏ナット金物。
【請求項３】
前記爪状ナット保持部が、ナットの側面に遊びをもつように該ナットの側面を被包して保持する側面被包部と、ナットの天面を被包して保持する天面被包部とからなる請求項２に記載の裏ナット金物。
【請求項４】
前記ナット保持板に備える孔部が、前記被取付物のボルト挿通孔及び前記取付板の孔部よりも大径をなす請求項１〜３のいずれかに記載の裏ナット金物。
【請求項５】
請求項１〜４のいずれかに記載の裏ナット金物の取付板の孔部が被取付物のボルト挿通孔に位置合わせされるように、該裏ナット金物の取付板が該被取付物の内面に溶接されてなる裏ナット付被取付物。
【発明の詳細な説明】
【技術分野】
【０００１】
本発明は裏ナット金物及び裏ナット付被取付物に関する。
【背景技術】
【０００２】
鋼管に他の部材をボルト結合するとき、通常は鋼管の内面にナットを溶接しておき、ボルトを他の部材及び鋼管に設けてあるボルト挿通孔からナットに差し込み螺合する。ナットが鋼管の内面に溶接されて動かないため、交換のボルト挿通孔とナットが位置ずれしている場合等に、ボルトをナットに位置合わせして螺合することが困難になる。
【０００３】
そこで従来、鋼管と他の部材をボルト結合するときの施工性を改善するため、特許文献１に記載の如くの裏ナット金物と裏ナット付鋼管が提案されている。
【０００４】
特許文献１に記載の裏ナット金物は、断面矩形の鋼管の対向する２つの側面の内面間に装着する裏ナット金物であって、長手の金属板を台形状に折り曲げて形成したかつ、上辺部とこの上辺部の両端から延びる２つの板状部分とを有し、上辺部の長さを２つの側面の内面間間隔とほぼ同じに設定した金具、２つの板状部分の先端に外方に折り返されて形成された係止片、板状部分の少なくとも１つに係止片から所定距離の位置に中心を有して形成される孔、及び孔に対応して板状部分に取り付けられる少なくとも１つのナットを備えるものである。
【０００５】
特許文献１に記載の裏ナット付鋼管は、断面矩形の鋼管、及び鋼管の対向する側面の少なくとも１つに形成されるボルト挿通孔を備え、ナットがボルト挿通孔に位置的に対応するように上述の裏ナット金物を鋼管の対向する側面の内面間に装填するものである。
【先行技術文献】
【特許文献】
【０００６】
【特許文献１】特許第3208052号
【発明の概要】
【発明が解決しようとする課題】
【０００７】
特許文献１に記載の裏ナット金物は、ナットの係合部が金具の板状部分に設けたナット取付孔に挿通され、このナット取付孔の外面側に突出したナットの係合部に係合リングを嵌合し、更にナットの係合部の先端を係合リングに係止させるように加締め加工するものである。従って、ナットが係合リングに加締め固定された状態で、ナットと係合リングが金具の板状部分を挟持するものになり、板状部分に対するナットの横ずれ性が悪い。
【０００８】
しかも、特許文献１に記載の裏ナット金物は、金具の２つの板状部分が互いの弾発力によって鋼管の内面の所定位置に圧接され、板状部分取付けられているナットを鋼管のボルト挿通孔に位置合わせさせようとするものである。ところが、２つの板状部分は鋼管の内面に圧接されるにすぎないものであって不測の位置ずれを生ずるおそれがあり、ひいてはナットを鋼管のボルト挿通孔に安定確実に位置合わせすることができない。
【０００９】
本発明の課題は、被取付物のボルト挿通孔に差し込まれるボルトを被取付物の内面に設けられるナットに安定確実に位置合わせして螺合可能にすることにある。
【課題を解決するための手段】
【００１０】
請求項１の発明は、被取付物の内面に添設可能にされる裏ナット金物において、被取付物の内面に添設可能にされ、被取付物に設けてあるボルト挿通孔に合致する孔部を備える取付板と、取付板に設けられ、取付板の孔部に合致する孔部と、ナット保持部とを備えるナット保持板と、ナット保持板の孔部に対して位置合わせ可能に横ずれでき、かつ回り止めされるように該ナット保持板のナット保持部に被包されて保持されるナットとを有してなるようにしたものである。
【００１１】
請求項２の発明は、請求項１の発明において更に、前記ナット保持板が、前記ナットの底面を着座させて前記孔部を備えるとともに、前記取付板に溶接される板本体部と、板本体部から折り起こされて前記ナットを横ずれ、かつ回り止め可能に被包して保持する爪状ナット保持部とからなるようにしたものである。
【００１２】
請求項３の発明は、請求項２の発明において更に、前記爪状ナット保持部が、ナットの側面に遊びをもつように該ナットの側面を被包して保持する側面被包部と、ナットの天面を被包して保持する天面被包部とからなるようにしたものである。
【００１３】
請求項４の発明は、請求項１〜３のいずれかの発明において更に、前記ナット保持板に備える孔部が、前記被取付物のボルト挿通孔及び前記取付板の孔部よりも大径をなすようにしたものである。
【００１４】
請求項５の発明は、請求項１〜４のいずれかに記載の裏ナット金物の取付板の孔部が被取付物のボルト挿通孔に位置合わせされるように、該裏ナット金物の取付板が該被取付物の内面に溶接されてなる裏ナット付被取付物である。
【発明の効果】
【００１５】
（請求項１）
(a)裏ナット金物は、取付板に設けられるナット保持板の孔部に対してナットを位置合わせ可能に横ずれできるように、該ナットをナット保持部に被包して保持するものであり、取付板及びナット保持板に対するナットの横ずれ性は良い。また、裏ナット金物の取付板は、該取付板の孔部にナット保持板の孔部及びナットを合致させた状態で、該取付板の孔部を被取付物のボルト挿通孔に合致させて、該被取付物の内面に添設可能にされる。これにより、裏ナット金物の取付板及びナット保持板をそれらの孔部が被取付物のボルト挿通孔に合致する該被取付物の内面の所定位置に位置ずれなく添設させながら、これらの取付板及びナット保持板に対してナットを適度に横ずれさせることができる。従って、被取付物のボルト挿通孔に差し込まれるボルトを、取付板及びナット保持板の孔部に通し、更にナット保持部に横ずれかつ回り止め可能に保持されているナットに安定確実に位置合わせして螺合できる。
【００１６】
（請求項２）
(b)ナット保持板が、板本体部から折り起こされてナットを横ずれ、かつ回り止め可能に被包して保持する爪状ナット保持部を備える。ナットを横ずれ容易にする遊びをもつように被包して保持でき、ナットの横ずれ性を確保できる。
【００１７】
（請求項３）
(c)爪状ナット保持部が、ナットの側面に遊びをもつように該ナットの側面を被包して保持する側面被包部と、ナットの天面を被包して保持する天面被包部とからなる。ナットを天面被包部により脱落させないように保持しながら、側面被包部との遊び分だけ横ずれできるようにし、ナットの横ずれ性を確保できる。
【００１８】
（請求項４）
(d)ナット保持板に備える孔部が、被取付物のボルト挿通孔及び取付板の孔部よりも大径をなす。ナット保持板の取付板への取付寸法精度を粗くすることができる。
【００１９】
（請求項５）
(e)裏ナット金物の取付板の孔部が被取付物のボルト挿通孔に位置合わせされるように、該裏ナット金物の取付板を該被取付物の内面に溶接するだけにより、被取付物のボルト挿通孔に差し込まれるボルトを被取付物の内面に設けられるナットに安定確実に位置合わせして螺合させることができる。
【図面の簡単な説明】
【００２０】
【図１】図１は建物ユニットへのバルコニーユニットの据付過程を示す斜視図である。
【図２】図２は建物ユニットへのバルコニーユニットの据付構造を示す斜視図である。
【図３】図３は実施例１の裏ナット付鋼管を示し、（Ａ）は縦断面図、（Ｂ）は横断面図である。
【図４】図４は裏ナット金物を示し、（Ａ）は正面図、（Ｂ）は平面図である。
【図５】図５はナット保持板及びナットを示し、（Ａ）は正面図、（Ｂ）は側面図である。
【図６】図６は裏ナット金物とボルトを示す斜視図である。
【図７】図７は実施例２の裏ナット付鋼管を示し、（Ａ）は縦断面図、（Ｂ）は横断面図である。
【図８】図８は裏ナット金物を示し、（Ａ）は正面図、（Ｂ）は平面図である。
【図９】図９はナット保持板及びナットを示し、（Ａ）は正面図、（Ｂ）は側面図である。
【図１０】図１０は裏ナット金物とボルトを示す斜視図である。
【発明を実施するための形態】
【００２１】
（実施例１）（図１〜図６）
図１は、建物ユニット１へのバルコニーユニット２の据付過程を示し、建物ユニット１の柱頭部１Ａにバルコニーユニット２の屋根梁２Ａをボルト結合するとともに、建物ユニット１の柱脚部１Ｂにバルコニーユニット２の柱脚部２Ｂをボルト結合するものである。
【００２２】
建物ユニット１の柱脚部１Ｂとバルコニーユニット２の柱脚部２Ｂのボルト結合構造は、図２、図３に示す如く、建物ユニット１の柱を構成する裏ナット付角鋼管１０（裏ナット付被取付物）の内面に裏ナット金物２０を添設しておき、ボルト６０をバルコニーユニット２の柱脚部２Ｂ及び鋼管２０（被取付物）に設けてある各２個のボルト挿通孔２Ｃ、１１から裏ナット金物２０の２個のナット５０（図３）に差し込み螺合するものである。
【００２３】
裏ナット金物２０は、図４に示す如く、取付板３０と、ナット保持板４０と、２個のナット５０とを有して構成される。
【００２４】
取付板３０は、図４に示す如く、鋼管１０の内面に溶接等により添設可能にされ、鋼管１０に設けてある２個のボルト挿通孔１１に合致する２個の孔部３１Ａを備える。取付板３０は、矩形厚板（例えば板厚6mm）からなる。
【００２５】
ナット保持板４０は、図４、図５に示す如く、取付板３０に溶接等により設けられ、取付板３０の２個の孔部３１Ａに合致する２個の孔部４１Ａと、各孔部４１Ａの周囲のナット保持部４２とを備える。
【００２６】
２個のナット５０は、ナット保持板４０の各孔部４１Ａに対して位置合わせ可能に横ずれでき、かつ回り止めされるように該ナット保持板４０の各ナット保持部４２に被包されて保持される。
【００２７】
ここで、ナット保持板４０は、薄板（例えば板厚1.2mm）からなり、長手方向の両端側の２位置に、ナット５０の底面を着座させて２個の孔部４１Ａを備えるとともに、取付板３０に溶接される板本体部４１と、板本体部４１から折り起こされてナット５０を板本体部４１の表面に沿う横ずれ、かつ回り止め可能に被包して保持する各爪状ナット保持部４２とからなる。
【００２８】
そして、各爪状ナット保持部４２は、図４、図５に示す如く、(a)板本体部４１の相対する２つの長辺からナット５０の軸方向に沿う中間高さまで上方に折り起こされ、ナット５０の六角の各面のうちで相対して平行をなす２つの側面のそれぞれに遊びをもつように該ナット５０の側面を被包して保持する側面被包部４２Ａ、４２Ｂと、(b)板本体部４１の相対する２つの短辺からナット５０の軸方向に沿う中間高さまで上方に折り起こされ、ナット５０の六角の各角部のうちで板本体部４１の外側に臨む１つの角部に遊びをもつように該ナット５０の側面を被包して保持する側面被包部４２Ｃと、(c)一方の側面被包部４２Ａの先端から板本体部４１の内側へ折り曲げられ、ナット５０の六角の各面のうちで板本体部４１の内側に位置する１つの側面に遊びをもつように該ナット５０の側面を被包して保持する側面被包部４２Ｄと、(d)両側面被包部４２Ａ、４２Ｂの先端からナット５０の軸方向に沿う全高さまで上方に折り起こされた後、板本体部４１の内側へ折り曲げられ、ナット５０のねじ孔を除く天面を被包して保持する天面被包部４２Ｅ、４２Ｆとからなる。ナット保持板４０は、板本体部４１の長手方向の両端側の２位置で、４つの側面被包部４２Ａ、４２Ｂ、４２Ｃ、４２Ｄにより、ナット５０の側面に遊びをもつように該ナット５０の側面を被包して保持するとともに、２つの天面被包部４２Ｅ、４２Ｆにより、ナット５０の天面を被包して保持する。ナット５０は、４つの側面被包部４２Ａ、４２Ｂ、４２Ｃ、４２Ｄとの遊びの範囲で、板本体部４１の表面上を天面被包部４２Ｅ、４２Ｆの裏面下において横ずれ移動でき、かつ２つの側面被包部４２Ａ、４２Ｂに挟まれて回り止めされる。
【００２９】
裏ナット金物２０において、ナット保持板４０に備える孔部４１Ａは、鋼管１０のボルト挿通孔１１及び取付板３０の孔部３１Ａよりも大径をなす。例えば、ナット５０及びボルト６０をＭ１２とするとき、ボルト挿通孔１１及び孔部３１Ａの孔径は13mm、孔部４１Ａの孔径は15mmとする。
【００３０】
鋼管１０にあっては、図６に示す如く、裏ナット金物２０の取付板３０の各孔部３１Ａが鋼管１０の各ボルト挿通孔１１に位置合わせされるようにして、裏ナット金物２０の取付板３０が鋼管１０の内面に溶接される。
【００３１】
本実施例によれば以下の作用効果を奏する。
(a)裏ナット金物２０は、取付板３０に設けられるナット保持板４０の孔部４１Ａに対してナット５０を位置合わせ可能に横ずれできるように該ナット５０をナット保持部４２に被包して保持するものであり、取付板３０及びナット保持板４０に対するナット５０の横ずれ性は良い。また、裏ナット金物２０の取付板３０は、該取付板３０の孔部３１Ａにナット保持板４０の孔部４１Ａ及びナット５０を合致させた状態で、該取付板３０の孔部３１Ａを鋼管１０のボルト挿通孔１１に合致させて、該鋼管１０の内面に添設可能にされる。これにより、裏ナット金物２０の取付板３０及びナット保持板４０をそれらの孔部３１Ａ、４１Ａが鋼管１０のボルト挿通孔１１に合致する該鋼管１０の内面の所定位置に位置ずれなく添設させながら、これらの取付板３０及びナット保持板４０に対してナット５０を適度に横ずれさせることができる。従って、鋼管１０のボルト挿通孔１１に差し込まれるボルト６０を、取付板３０及びナット保持板４０の孔部３１Ａ、４１Ａに通し、更にナット保持部４２に横ずれかつ回り止め可能に保持されているナット５０に安定確実に位置合わせして螺合できる。
【００３２】
(b)ナット保持板４０が、板本体部４１から折り起こされてナット５０を横ずれ、かつ回り止め可能に被包して保持する爪状ナット保持部４２を備える。ナット５０を横ずれ容易にする遊びをもつように被包して保持でき、ナット５０の横ずれ性を確保できる。
【００３３】
(c)爪状ナット保持部４２が、ナット５０の側面に遊びをもつように該ナット５０の側面を被包して保持する側面被包部４２Ａ、４２Ｂ、４２Ｃ、４２Ｄと、ナット５０の天面を被包して保持する天面被包部４２Ｅ、４２Ｆとからなる。ナット５０を天面被包部４２Ｅ、４２Ｆにより脱落させないように保持しながら、側面被包部４２Ａ、４２Ｂ、４２Ｃ、４２Ｄとの遊び分だけ横ずれできるようにし、ナット５０の横ずれ性を確保できる。
【００３４】
(d)ナット保持板４０に備える孔部４１Ａが、鋼管１０のボルト挿通孔１１及び取付板３０の孔部３１Ａよりも大径をなす。ナット保持板４０の取付板３０への取付寸法精度を粗くすることができる。
【００３５】
(e)裏ナット金物２０の取付板３０の孔部３１Ａが鋼管１０のボルト挿通孔１１に位置合わせされるように、該裏ナット金物２０の取付板３０を該鋼管１０の内面に溶接するだけにより、鋼管１０のボルト挿通孔１１に差し込まれるボルト６０を鋼管１０の内面に設けられるナット５０に安定確実に位置合わせして螺合させることができる。
【００３６】
（実施例２）（図７〜図１０）
実施例２の鋼管１０が実施例１の鋼管１０と異なる点は裏ナット金物２０の構成にある。実施例２の裏ナット金物２０は、図７、図８に示す如く、取付板３０に２個のナット保持板４０を設け、各ナット保持板４０にナット５０を保持させた。
【００３７】
取付板３０は、図８に示す如く、鋼管１０の内面に溶接等により添設可能にされ、鋼管１０に設けてある２個のボルト挿通孔１１に合致する２個の孔部３１Ａを備える。取付板３０は、矩形厚板（例えば板厚6mm）からなる。
【００３８】
各ナット保持板４０は、図８、図９に示す如く、取付板３０に溶接等により設けられ、取付板３０の各孔部３１Ａに合致する孔部４１Ａと、孔部４１Ａの周囲のナット保持部４２を備える。
【００３９】
各ナット５０は、ナット保持板４０の孔部４１Ａに対して位置合わせ可能に横ずれでき、かつ回り止めされるように該ナット保持板４０のナット保持部４２に被包されて保持される。
【００４０】
ここで、ナット保持板４０は、薄板（例えば板厚1.2mm）からなり、ナット５０の底面を着座させて孔部４１Ａを備えるとともに、取付板３０に溶接される板本体部４１と、板本体部４１から折り起こされてナット５０を板本体部４１の表面に沿う横ずれ、かつ回り止め可能に被包して保持する爪状ナット保持部４２とからなる。
【００４１】
そして、爪状ナット保持部４２は、図８、図９に示す如く、(a)板本体部４１の一方向で相対する２つの辺からナット５０の軸方向に沿う中間高さまで上方に折り起こされ、ナット５０の六角の各面のうちで相対して平行をなす２つの側面のそれぞれに遊びをもつように該ナット５０の側面を被包して保持する側面被包部４２Ａ、４２Ｂと、(b)板本体部４１の他方向で相対する２つの辺からナット５０の軸方向に沿う中間高さまで上方に折り起こされ、ナット５０の六角の各角部のうちで板本体部４１の外側に臨む２つの角部に遊びをもつように該ナット５０の側面を被包して保持する側面被包部４２Ｃ、４２Ｄと、(c)両側面被包部４２Ａ、４２Ｂの先端からナット５０の軸方向に沿う全高さまで上方に折り起こされた後、板本体部４１の内側へ折り曲げられ、ナット５０のねじ孔を除く天面を被包して保持する天面被包部４２Ｅ、４２Ｆとからなる。ナット保持板４０は、４つの側面被包部４２Ａ、４２Ｂ、４２Ｃ、４２Ｄにより、ナット５０の側面に遊びをもつように該ナット５０の側面を被包して保持するとともに、２つの天面被包部４２Ｅ、４２Ｆにより、ナット５０の天面を被包して保持する。ナット５０は、４つの側面被包部４２Ａ、４２Ｂ、４２Ｃ、４２Ｄとの遊びの範囲で、板本体部４１の表面上を天面被包部４２Ｅ、４２Ｆの裏面下において横ずれ移動でき、かつ２つの側面被包部４２Ａ、４２Ｂに挟まれて回り止めされる。
【００４２】
裏ナット金物２０において、ナット保持板４０に備える孔部４１Ａは、鋼管１０のボルト挿通孔１１及び取付板３０の孔部３１Ａよりも大径をなす。例えば、ナット５０及びボルト６０をＭ１２とするとき、ボルト挿通孔１１及び孔部３１Ａの孔径は13mm、孔部４１Ａの孔径は15mmとする。
【００４３】
鋼管１０にあっては、図１０に示す如く、裏ナット金物２０の取付板３０の各孔部３１Ａが鋼管１０の各ボルト挿通孔１１に位置合わせされるようにして、裏ナット金物２０の取付板３０が鋼管１０の内面に溶接される。
【００４４】
本実施例によれば以下の作用効果を奏する。
(a)裏ナット金物２０は、取付板３０に設けられるナット保持板４０の孔部４１Ａに対してナット５０を位置合わせ可能に横ずれできるように、該ナット５０をナット保持部４２に被包して保持するものであり、取付板３０及びナット保持板４０に対するナット５０の横ずれ性は良い。また、裏ナット金物２０の取付板３０は、該取付板３０の孔部３１Ａにナット保持板４０の孔部４１Ａ及びナット５０を合致させた状態で、該取付板３０の孔部３１Ａを鋼管１０のボルト挿通孔１１に合致させて、該鋼管１０の内面に添設可能にされる。これにより、裏ナット金物２０の取付板３０及びナット保持板４０をそれらの孔部３１Ａ、４１Ａが鋼管１０のボルト挿通孔１１に合致する該鋼管１０の内面の所定位置に位置ずれなく添設させながら、これらの取付板３０及びナット保持板４０に対してナット５０を適度に横ずれさせることができる。従って、鋼管１０のボルト挿通孔１１に差し込まれるボルト６０を、取付板３０及びナット保持板４０の孔部３１Ａ、４１Ａ４１Ａに通し、更にナット保持部４２に横ずれかつ回り止め可能に保持されているナット５０に安定確実に位置合わせして螺合できる。
【００４５】
(b)ナット保持板４０が、板本体部４１から折り起こされてナット５０を横ずれ、かつ回り止め可能に被包して保持する爪状ナット保持部４２を備える。ナット５０を横ずれ容易にする遊びをもつように被包して保持でき、ナット５０の横ずれ性を確保できる。
【００４６】
(c)爪状ナット保持部４２が、ナット５０の側面に遊びをもつように該ナット５０の側面を被包して保持する側面被包部４２Ａ、４２Ｂ、４２Ｃ、４２Ｄと、ナット５０の天面を被包して保持する天面被包部４２Ｅ、４２Ｆとからなる。ナット５０を天面被包部４２Ｅ、４２Ｆにより脱落させないように保持しながら、側面被包部４２Ａ、４２Ｂ、４２Ｃ、４２Ｄとの遊び分だけ横ずれできるようにし、ナット５０の横ずれ性を確保できる。
【００４７】
(d)ナット保持板４０に備える孔部４１Ａが、鋼管１０のボルト挿通孔１１及び取付板３０の孔部３１Ａよりも大径をなす。ナット保持板４０の取付板３０への取付寸法精度を粗くすることができる。
【００４８】
(e)裏ナット金物２０の取付板３０の孔部３１Ａが鋼管１０のボルト挿通孔１１に位置合わせされるように、該裏ナット金物２０の取付板３０を該鋼管１０の内面に溶接するだけにより、鋼管１０のボルト挿通孔１１に差し込まれるボルト６０を鋼管１０の内面に設けられるナット５０に安定確実に位置合わせして螺合させることができる。
【００４９】
以上、本発明の実施例を図面により詳述したが、本発明の具体的な構成はこの実施例に限られるものではなく、本発明の要旨を逸脱しない範囲の設計の変更等があっても本発明に含まれる。
【産業上の利用可能性】
【００５０】
本発明は、鋼管等の被取付物の内面に添設される裏ナット金物において、被取付物の内面に添設可能にされ、被取付物に設けてあるボルト挿通孔に合致する孔部を備える取付板と、取付板に設けられ、取付板の孔部に合致する孔部と、ナット保持部とを備えるナット保持板と、ナット保持板の孔部に対して位置合わせ可能に横ずれでき、かつ回り止めされるように該ナット保持板のナット保持部に被包されて保持されるナットとを有してなるようにした。これにより、被取付物のボルト挿通孔に差し込まれるボルトを被取付物の内面に設けられるナットに安定確実に位置合わせして螺合可能にすることができる。
【符号の説明】
【００５１】
１０  鋼管（被取付物）
１１  ボルト挿通孔
２０  裏ナット金物
３０  取付板
３１Ａ  孔部
４０  ナット保持板
４１  板本体部
４１Ａ  孔部
４２  ナット保持部、爪状ナット保持部
４２Ａ、４２Ｂ、４２Ｃ、４２Ｄ  側面被包部
４２Ｅ、４２Ｆ  天面被包部
５０  ナット
【図１】
2010276180.tif 000003
【図２】
2010276180.tif 000004
【図３】
2010276180.tif 000005
【図４】
2010276180.tif 000006
【図５】
2010276180.tif 000007
【図６】
2010276180.tif 000008
【図７】
2010276180.tif 000009
【図８】
2010276180.tif 000010
【図９】
2010276180.tif 000011
【図１０】
2010276180.tif 000012